(57)【特許請求の範囲】
【請求項１】
室内外を連通する開口を閉塞可能な障子と、
前記開口を形成し前記障子の下方に位置する部位から上方に突出され、前記障子を回動自在に支持する回動支持部材と、
を有し、
前記回動支持部材は、
前記障子の回動軸をなし、前記障子内に挿入される回動軸部と、
前記回動軸部の下に当該回動軸部と同軸に一体に設けられ、前記障子を支持する支持部を備えて下方に向かって拡径された台座部と、を有し、
前記障子の下面には、上方に窪み、
その中央に設けられて前記回動軸部が挿通される挿通部と、
前記回動支持部材に支持される被支持部を備え、前記挿通部と繋がって前記台座部の上表面に沿って設けられ前記被支持部よりも低い位置まで前記台座部を覆う内周側面部と、
を有する挿入凹部が設けられていることを特徴とする建具。
【請求項２】
請求項１に記載の建具であって、
前記回動支持部材は、前記障子の回動軸部における下縁の周りに水平面でなる前記支持部が形成されており、
前記挿入凹部は、前記挿通部の周りに水平面でなる前記被支持部が形成されていることを特徴とする建具。
【請求項３】
請求項１または請求項２に記載の建具であって、
前記台座部の前記上表面は、下方に向かって径が大きくなる曲面にて形成されていることを特徴とする建具。
【請求項４】
請求項１または請求項２に記載の建具であって、
前記台座部の前記上表面は、下方に向かって径が大きくなる傾斜面にて形成されていることを特徴とする建具。
【発明の詳細な説明】
【技術分野】
【０００１】
本発明は、室内外を連通する開口を閉塞可能な障子が回動自在に支持された建具に関する。
【背景技術】
【０００２】
室内外を連通する開口を閉塞可能な障子が回動自在に支持された建具としては、例えば、ドアの上下端部がピボットヒンジにて支持された建具が示されている（例えば、特許文献１参照）。この建具のドアを支持している下部ピボットヒンジは、ドアの下面に設けられた盲穴に、枠体の下部に座とともに溶接された下部ピボットヒンジ軸が挿入されて構成されている。そして、下枠上に設けられた座の上にドアが載置され、ドアが回動される際には、座の上面とドアの下面とが摺動するように構成されている。このような建具は、下枠上に設けられた座の上にドアが載置されており、ドアが回動する際に座の上面とドアの下面とが摺動する部位が外部に露出している。このため、埃や砂塵等が座の上面とドアの下面との間に入り込むことにより、異音が発生したり、摩耗してドアの滑らかな開閉が難くなる場合がある。埃や砂塵等が入り込むことを防止することが可能な建具としては、例えば、下枠に上方に突設けられた下ヒンジを、扉の吊込側下端部に設けられた穴部に挿入させて軸支する建具ことが知られている(例えば、特許文献２参照)。
【先行技術文献】
【特許文献】
【０００３】
【特許文献１】実開平５−４９９８３号公報
【特許文献２】特開２００９−２７５４３９号公報
【発明の概要】
【発明が解決しようとする課題】
【０００４】
上記のような建具において、下枠に上方に突設けられた下ヒンジを、扉の吊込側下端部に設けられた穴部に挿入させて軸支する場合には、例えば、扉の下端が扉の上端より下ヒンジに近くなるように扉を傾けた状態にて、上方に突出する下ヒンジが扉の下端に設けられた穴部に挿通するように扉の下端を下ヒンジに近づけつつ徐々に扉を直立状態として、下ヒンジを穴部に挿通させる。このため、穴部の径は下ヒンジの径より十分に大きく形成しておかなければならない。しかしながら、穴部の径が下ヒンジの径より十分に大きい場合には、下ヒンジにて支持される部位を扉の穴部内に設けても、下ヒンジと穴部との隙間が広いため、この隙間から埃や砂塵等が入り込んでしまうという課題がある。
【０００５】
本発明は、かかる課題に鑑みてなされたものであり、その目的とするところは、障子を回動支持する部位に砂塵などが入りにくい建具を提供することにある。
【課題を解決するための手段】
【０００６】
かかる目的を達成するために本発明の建具は、室内外を連通する開口を閉塞可能な障子と、前記開口を形成し前記障子の下方に位置する部位から上方に突出され、前記障子を回動自在に支持する回動支持部材と、を有し、前記回動支持部材は、前記障子の回動軸をなし、前記障子内に挿入される回動軸部と、前記回動軸部の下に当該回動軸部と同軸に一体に設けられ、前記障子を支持する支持部を備えて下方に向かって拡径された台座部と、を有し、前記障子の下面には、上方に窪み、その中央に設けられて前記回動軸部が挿通される挿通部と、前記回動支持部材に支持される被支持部を備え、前記挿通部と繋がって前記台座部の上表面に沿って設けられ前記被支持部よりも低い位置まで前記台座部を覆う内周側面部と、を有する挿入凹部が設けられていることを特徴とする建具である。
【０００７】
このような建具によれば、障子の下方に位置する部位から上方に突出され、障子を回動自在に支持する回動支持部材に支持される被支持部は、障子の下端部に設けられた上方に窪む挿入凹部に備えられており、挿入凹部に挿入された回動支持部材の支持部に被支持部が支持される。すなわち、障子が支持される部位となる支持部及び被支持部は、上方に窪む挿入凹部と挿入凹部に挿入された回動支持部材との間に位置するので外部に露出しない。このため、障子を回動支持する回動支持部材と被支持部との間に砂塵などが入りにくい建具を提供することが可能である。また、支持部を備え挿入凹部に挿入される台座部は下方に向かって拡径されており、被支持部を備え台座部が挿入される挿入凹部の内周側面部は、台座部の上表面に沿って当該台座部を覆うので、被支持部及び支持部が位置する台座部の上表面と内周側面部との間隔を狭くすることが可能である。このため、台座部の上表面と内周側面部との間から砂塵などが入り込むことを抑制することが可能である。
【０００８】
また、障子を開口に備えるために、上方に突出する回動軸部を挿入凹部の挿通部に挿通する際に、まず挿通部より径の大きな挿入凹部の下縁側から挿入することにより、障子が回動軸部に案内されるので、挿通部を回動軸部に容易に挿通させることが可能である。
【０００９】
また、被支持部が回動支持部材に支持されている部位が障子の下縁より上、すなわち、障子の下端部に形成された上方に窪む挿入凹部内となるので、回動支持部材と被支持部との間に砂塵などが入り込むことをより確実に防止することが可能である。
【００１０】
かかる建具であって、前記回動支持部材は、前記障子の回動軸部の周りに水平面でなる前記支持部が形成されており、前記挿入凹部は、前記挿通部の周りに水平面でなる前記被支持部が形成されていることが望ましい。  
このような建具によれば、回動支持部材に支持される被支持部、及び、被支持部を支持する回動支持部材の支持部は、いずれも水平面をなしているので、障子をより安定した状態で回動支持することが可能である。
【００１１】
かかる建具であって、前記台座部の前記上表面は、下方に向かって径が大きくなる曲面にて形成されていることが望ましい。  
このような建具によれば、台座部の前記上表面は、下方に向かって径が大きくなる曲面なので、台座部の上表面に沿って当該台座部を覆う内周側面部も下方に向かって径が大きくなる曲面をなし、台座部の上表面と内周側面部との間に曲面による空隙が形成される。このため、台座部の上表面と内周側面部との間に障子が回動するための空隙を確保しつつも障子の下端側にて台座部の上表面と内周側面部との間に砂塵等が入り込みにくい構造とすることが可能である。また、内周側面部が台座部の上表面を覆うように配置されるので、回動軸部と挿通部との水平方向におけるがたつきを、内周側面部が台座部の上表面とにより防止することが可能である。
【００１２】
かかる建具であって、前記台座部の前記上表面は、下方に向かって径が大きくなる傾斜面にて形成されていることとしてもよい。  
このような建具によれば、台座部の前記上表面は、下方に向かって径が大きくなる傾斜面なので、台座部の上表面に沿って当該台座部を覆う内周側面部も下方に向かって径が大きくなる傾斜面をなし、台座部の上表面と内周側面部との間に傾斜面による空隙が形成される。このため、台座部の上表面と内周側面部との間に障子が回動するための空隙を確保しつつも障子の下端側にて台座部の上表面と内周側面部との間に砂塵等が入り込みにくい構造とすることが可能である。また、内周側面部が台座部の上表面を覆うように配置されるので、回動軸部と挿通部との水平方向におけるがたつきを、内周側面部が台座部の上表面とにより防止することが可能である。
【発明の効果】
【００１３】
本発明によれば、障子を回動支持する部位に砂塵などが入りにくい建具を提供することが可能である。
【図面の簡単な説明】
【００１４】
【図１】本実施形態に係る建具の正面図である。
【図２】下側のピボットヒンジを示す縦断面図である。
【図３】枠側ヒンジ部材を示す斜視図である。
【図４】障子側ヒンジ部材を示す斜視図である。
【図５】障子側ヒンジ部材の縦断面図である。
【図６】障子が取り付けられる際の下側のピボットヒンジを示す図である。
【図７】回動軸部が挿通部に挿通される状態を示す図である。
【発明を実施するための形態】
【００１５】
以下、本発明の一実施形態に係る建具について図面を参照して説明する。
【００１６】
本実施形態の建具１は、図１に示すように室内外を連通する開口２を閉塞可能な障子３を備えた建具１であり、開口２を形成する部位としての枠体５と、枠体５に上下端部がピボットヒンジ１０により回動自在に支持された、例えば玄関ドアなどの障子３とを有している。
【００１７】
以下の説明においては、建物等に取り付けられた状態の建具１の、上下となる方向を上下方向として示し、建具１が備える各部材は、単体の状態であっても建物等に取り付けられた状態にて方向を特定して説明する。
【００１８】
建具１が備える下側のピボットヒンジ１０は、図２に示すように、枠体５を形成する下枠５ａに取り付けられる回動支持部材としての枠側ヒンジ部材１１と、障子３が備えるパネル材３ａの下面３ｂに取り付けられる障子側ヒンジ部材１５と、を有している。
【００１９】
枠側ヒンジ部材１１は、例えばステンレスにて形成されており、図３に示すように、下枠５ａに固定されるプレート部１２と、プレート部１２から上方に突出したドーム状をなし、下方に向かって拡径された台座部１３と、台座部１３の上方に突出し、障子３の回動軸をなす回動軸部１４と、を有している。台座部１３と回動軸部１４とは、同軸に形成されている。
【００２０】
プレート部１２は、長方形状をなす板状の部位であり、長手方向における中央より戸尻側に台座部１３及び回動軸部１４が設けられており、中央より戸先側に、下枠５ａにビス止めするための固定穴１２ａが設けられている。
【００２１】
台座部１３は、水平断面が円形状をなし、上方に向かって直径が小さくなるような湾曲した面にて形成された上表面としての側周面部１３ａと、側周面部１３ａの上端に形成され中央に形成されている回動軸部１４を囲む水平面を形成する支持部１３ｂとを有している。
【００２２】
回動軸部１４は、台座部１３の支持部１３ｂの中央から鉛直方向に突出され上下方向において直径が変化しない軸部１４ａを有し、軸部１４ａの上端部１４ｂは半球状に形成されている。すなわち、回動軸部１４の下縁１４ｃは支持部１３ｂに位置している。
【００２３】
障子側ヒンジ部材１５は、例えばポリアセタールなどの摺動特性に優れた樹脂にて成形されており、図４、図５に示すように、障子３が備えるパネル材３ａの下面３ｂに固定される固定板部１６と、固定板部１６から上方に突出し固定板部１６に形成され後述する挿通部としての貫通孔１６ａと繋がった穴部を内周面１７ａが形成する上環状部１７と、固定板部１６から下方に突出し貫通孔１６ａと同軸をなして台座部１３が挿入される挿入凹部１８ａを形成する下環状部１８とを有している。ここで、障子３は、パネル材３ａに障子側ヒンジ部材１５が取り付けられて構成されているので、障子３の下縁は、障子側ヒンジ部材１５の下縁１８ｄとなる。
【００２４】
固定板部１６は、長方形状をなす板状の部位であり、長手方向における中央より戸尻側に固定板部１６を上下方向に貫通し回動軸部１４が挿通される貫通孔１６ａ、及び、貫通孔１６ａと同軸をなす上環状部１７と下環状部１８とが設けられており、中央より戸先側に、障子３が備えるパネル材３ａの下面３ｂにビス止めするための固定穴１６ｂが設けられている。
【００２５】
貫通孔１６ａは、貫通される枠側ヒンジ部材１１の回動軸部１４との間にて回動し易いように、回動軸部１４の直径より僅かに大きく形成され、貫通孔１６ａと回動軸部１４との間にはクリアランスが設けられている。
【００２６】
上環状部１７は、固定板部１６から上方に、環状に突出した筒状の部位であり、固定板部１６に設けられた貫通孔１６ａと繋がる内周面１７ａは、上方に向かって直径が大きくなるような傾斜面をなしている。すなわち、内周面１７ａには、上方に向かって直径が大きくなるようなテーパーが付けられている。このテーパーは、図６に示すように、障子３を枠体５に取り付ける際に障子３を傾けた状態にて回動軸部１４を貫通孔１６ａに挿通させることができるように設けられている。
【００２７】
下環状部１８は、固定板部１６から下方に、環状に突出した部位であり、突出した部位の内側には、下方に向かって開放され貫通孔１６ａと繋がった挿入凹部１８ａが設けられている。挿入凹部１８ａは、図７に示すように、枠側ヒンジ部材１１の回動軸部１４が貫通孔１６ａに挿通された状態で台座部１３が収容されるように形成されている。このため、挿入凹部１８ａの、回動軸部１４が挿通される貫通孔１６ａの周りには、貫通孔１６ａに挿通された回動軸部１４の下縁１４ｃの周りに設けられた水平面でなる支持部１３ｂと当接する、水平面でなる被支持部１８ｂが設けられている。この被支持部１８ｂも貫通孔１６ａと同軸に形成され、回動軸部１４が貫通孔１６ａ内におけるクリアランスの範囲内にて移動しても支持部１３ｂと被支持部１８ｂとが当接される状態が維持されるように、被支持部１８ｂは、枠側ヒンジ部材１１の支持部１３ｂの直径より大きく形成されている。また、貫通孔１６ａが形成されている部位、すなわち、被支持部１８ｂより低い部位でなる内周側面部１８ｃは、挿入凹部１８ａに収容される台座部１３の湾曲した側周面部１３ａの曲率とほぼ同じ曲率でなり、下方に向かって直径が大きくなる曲面に形成されている。すなわち、内周側面部１８ｃは、台座部１３の側周面部１３ａに沿って当該台座部１３を覆っている。また、貫通孔１６ａの直径は、貫通孔１６ａと同軸をなす挿入凹部１８ａの下縁１８ｅの直径より小さく形成されている。そして、下環状部１８の挿入凹部１８ａにおいては、回動軸部１４が貫通孔１６ａ内におけるクリアランスの範囲内にて移動しても回動しやすいように、回動軸部１４が貫通孔１６ａに挿通された状態で、側周面部１３ａと内周側面部１８ｃとの間にはクリアランスが設けられている。
【００２８】
障子側ヒンジ部材１５が取り付けられた障子３が、枠体５に回動自在に取り付けられた状態にて、下環状部１８の下縁１８ｄとプレート部１２の上面１２ｂと間隔ｈは、障子側ヒンジ部材１５における被支持部１８ｂと固定板部１６の上面１６ｃとの厚みｔより狭く形成されている。これは、建具１の長年の使用により、障子側ヒンジ部材１５が摩耗した際に、障子側ヒンジ部材１５が破損される前に、下環状部１８の下縁１８ｄがプレート部１２の上面１２ｂに当接して障子３を支持するためである。
【００２９】
本実施形態の建具１によれば、障子３の下方に位置する下枠５ａから上方に突出され、障子３を回動自在に支持する枠側ヒンジ部材１１に支持される被支持部１８ｂは、障子３の下端部に設けられた上方に窪む挿入凹部１８ａに備えられており、挿入凹部１８ａに挿入された枠側ヒンジ部材１１の支持部１３ｂに被支持部１８ｂが支持される。すなわち、障子３が支持されている被支持部１８ｂ及び支持部１３ｂは、上方に窪む挿入凹部１８ａと挿入凹部１８ａに挿入された枠側ヒンジ部材１１との間に位置するので外部に露出しない。このため、障子３を回動支持する枠側ヒンジ部材１１の支持部１３ｂと被支持部１８ｂとの間に砂塵などが入りにくい建具１を提供することが可能である。
【００３０】
また、支持部１３ｂを備え挿入凹部１８ａに挿入される台座部１３は下方に向かって拡径されており、被支持部１８ｂを備え台座部１３が挿入される挿入凹部１８ａの内周側面部１８ｃは、台座部１３の側周面部１３ａに沿って当該台座部１３を覆うので、被支持部１８ｂ及び支持部１３ｂが位置する台座部１３の側周面部１３ａと内周側面部１８ｃとの間隔を狭くすることが可能である。このため、台座部１３の側周面部１３ａと内周側面部１８ｃとの間から砂塵などが入り込むことをより確実に抑制することが可能である。
【００３１】
また、障子３を開口２に備えるために、上方に突出する回動軸部を挿入凹部貫通孔１６ａに挿通する際に、まず貫通孔１６ａより径の大きな挿入凹部１８ａの下縁１８ｅ側から挿入することにより、障子３が回動軸部１４に案内されるので、貫通孔１６ａを回動軸部１４に容易に挿通させることが可能である。
【００３２】
また、枠側ヒンジ部材１１の支持部１３ｂに支持される被支持部１８ｂ、及び、被支持部１８ｂを支持する枠側ヒンジ部材１１の支持部１３ｂは、いずれも水平面をなしているので、より安定した状態で障子３を回動支持することが可能である。
【００３３】
また、挿入凹部１８ａと台座部１３との間には、挿入凹部１８ａの貫通孔１６ａより低い部位である内周側面部１８ｃと、枠側ヒンジ部材１１の回動軸部１４の下縁１４ｃより低い部位である側周面部１３ａとにより空隙が形成される。このため、挿入凹部１８ａと台座部１３との間に障子３が回動するための空隙を確保しつつも障子３の下端部にて挿入凹部１８ａと台座部１３との間に砂塵等が入り込みにくい構造とすることが可能である。また、挿入凹部１８ａが台座部１３を覆うように配置されるので、回動軸部１４と貫通孔１６ａとの水平方向におけるがたつきを、挿入凹部１８ａと台座部１３とにより抑制することが可能である。
【００３４】
上記実施形態においては、内周側面部１８ｃ、及び、側周面部１３ａが下方に向かって直径が大きくなるように湾曲した面にて形成されている例について説明したが、これに限らず、例えば、下方に向かって径が大きくなる傾斜面にて形成されていてもよい。この場合には、傾斜面でなる内周側面部と傾斜面でなる側周面部との間に傾斜による空隙が形成される。このため、内周側面部と側周面部との間に障子３が回動するための空隙を確保しつつも障子３の下端部にて挿入凹部と台座部との間に砂塵等が入り込みにくい構造とすることが可能である。また、挿入凹部が台座部を覆うように配置されるので、回動軸部１４と貫通孔１６ａとの水平方向におけるがたつきを、挿入凹部と回動支持部材とにより抑制することが可能である。
【００３５】
上記実施形態においては、回動軸部１４が挿通される挿通部を貫通孔１６ａとした例について説明したが、これに限らず、例えば、上方が開放されておらず、上方に窪み上下方向において直径が変化しない凹部であっても構わない。
【００３６】
上記実施形態においては、障子３が開口２を形成する枠体５に回動自在に設けられており、回動軸部１４を備えた枠側ヒンジ部材１１が下枠５ａに設けられている例について説明したが、枠体５は必ずしも設けられていなくともよい。例えば、タイル張りやコンクリート打ちの土間やフローリングなどの床に直接、回動軸部１４を備えた枠側ヒンジ部材１１に相当する部材が設けられていてもよい。
【００３７】
上記実施形態においては、障子３の一例としては、屋内外の出入口に設けられる玄関ドアを示したが、屋内にて互いに隣り合う居室間を仕切るドアや居室と廊下とを仕切るドアであっても構わない。
【００３８】
上記実施形態にいては、支持部１３ｂ及び被支持部１８ｂをいずれも水平面としたが、必ずしも水平面でなくてもよい。例えば、曲面や傾斜面でなる側周面部を支持部とし、同様の曲率や傾斜角度にて形成された内周側面部を被支持部としてもよい。
【００３９】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４０】
１  建具、２  開口、３  障子、５ａ  下枠、１０  ピボットヒンジ、
１１  枠側ヒンジ部材、１３  台座部、１３ａ  側周面部、１３ｂ  支持部、
１４  回動軸部、１４ｃ  回動軸部の下縁、１５  障子側ヒンジ部材、
１６ａ  貫通孔、１８  下環状部、１８ａ  挿入凹部、１８ｂ  被支持部、
１８ｃ  内周側面部、１８ｄ  下環状部の下縁、１８ｅ  挿入凹部の下縁
【図１】
0005819229.tif 000002
【図２】
0005819229.tif 000003
【図３】
0005819229.tif 000004
【図４】
0005819229.tif 000005
【図５】
0005819229.tif 000006
【図６】
0005819229.tif 000007
【図７】
0005819229.tif 000008